【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
長辺および短辺を有する記録材を画像形成手段へ短辺側から搬送する第１供給手段及び、長辺側から搬送する第２供給手段と、
供給された記録材を揃えた記録材束に、夫々記録材の第１端部側及び第１端部と異なる第２端部側を綴じる夫々第１綴手段及び、第２綴じ手段と、を含み、
記録材束への第１及び第２綴処理位置の指示に基づいて、第１又は第２供給手段の一方から記録材を供給する画像形成システム。
【請求項２】
長辺および短辺を有する記録材を、当該短辺を搬送方向先端とする第１の向きに供給する第１の供給手段と、
長辺および短辺を有する記録材を、当該長辺を搬送方向先端とする第２の向きに供給する第２の供給手段と、
前記第１の供給手段あるいは前記第２の供給手段から供給された記録材に画像を形成する画像形成手段と、
前記画像形成手段によって画像が形成された複数の記録材を、それぞれの第１の端部および当該第１の端部とは異なる第２の端部を揃えた状態で重ね合わせた記録材の束として積載する積載手段と、
前記積載手段に積載された前記記録材の束における前記第１の端部側を、第１の綴じ処理にて綴じる第１の綴じ手段と、
前記積載手段に積載された前記記録材の束における前記第２の端部側を、第２の綴じ処理にて綴じる第２の綴じ手段と、
記録材の束に対する前記第１の綴じ処理の綴じ位置および前記第２の綴じ処理の綴じ位置の指示を取得する取得手段と、
前記取得手段により取得された前記第１の綴じ処理の綴じ位置および前記第２の綴じ処理の位置に基づいて、前記第１の供給手段および前記第２の供給手段のいずれか一方から記録材を供給するように制御する制御手段と
を含む画像形成システム。
【請求項３】
前記制御手段は、前記第１の供給手段からの記録材の供給および前記第２の供給手段からの記録材の供給がともに許容される場合に、前記第２の供給手段から記録材を供給させることを特徴とする請求項２記載の画像形成システム。
【請求項４】
前記画像形成手段によって画像が形成された記録材の表裏を反転して前記積載手段に搬送する反転搬送手段をさらに含み、
前記制御手段は、記録材に対する画像の向きと前記第１の綴じ処理および前記第２の綴じ処理の位置とに基づいて、さらに、前記反転搬送手段による反転搬送の可否を制御することを特徴とする請求項２または３記載の画像形成システム。
【請求項５】
前記制御手段は、記録材に対する画像の向きと前記第１の綴じ処理および前記第２の綴じ処理の位置とに基づいて、さらに、前記画像形成手段が前記記録材の束を構成するそれぞれの記録材上に形成する画像の向きを回転させる制御を行うことを特徴とする請求項２乃至４のいずれか１項記載の画像形成システム。
【請求項６】
前記第２の綴じ手段による前記第２の綴じ処理は、前記第１の綴じ手段による前記第１の綴じ処理よりも綴じが解放しやすいことを特徴とする請求項２乃至５のいずれか１項記載の画像形成システム。
【請求項７】
前記制御手段は、前記記録材の束に対し前記第１の綴じ手段による前記第１の綴じ処理を行わせた後に前記第２の綴じ手段による前記第２の綴じ処理を行わせることを特徴とする請求項６記載の画像形成システム。
【手続補正２】
【補正対象書類名】明細書
【補正対象項目名】０００５
【補正方法】変更
【補正の内容】
【０００５】
請求項１記載の発明は、長辺および短辺を有する記録材を画像形成手段へ短辺側から搬送する第１供給手段及び、長辺側から搬送する第２供給手段と、供給された記録材を揃えた記録材束に、夫々記録材の第１端部側及び第１端部と異なる第２端部側を綴じる夫々第１綴手段及び、第２綴じ手段と、を含み、記録材束への第１及び第２綴処理位置の指示に基づいて、第１又は第２供給手段の一方から記録材を供給する画像形成システムである。
請求項２記載の発明は、長辺および短辺を有する記録材を、当該短辺を搬送方向先端とする第１の向きに供給する第１の供給手段と、長辺および短辺を有する記録材を、当該長辺を搬送方向先端とする第２の向きに供給する第２の供給手段と、前記第１の供給手段あるいは前記第２の供給手段から供給された記録材に画像を形成する画像形成手段と、前記画像形成手段によって画像が形成された複数の記録材を、それぞれの第１の端部および当該第１の端部とは異なる第２の端部を揃えた状態で重ね合わせた記録材の束として積載する積載手段と、前記積載手段に積載された前記記録材の束における前記第１の端部側を、第１の綴じ処理にて綴じる第１の綴じ手段と、前記積載手段に積載された前記記録材の束における前記第２の端部側を、第２の綴じ処理にて綴じる第２の綴じ手段と、記録材の束に対する前記第１の綴じ処理の綴じ位置および前記第２の綴じ処理の綴じ位置の指示を取得する取得手段と、前記取得手段により取得された前記第１の綴じ処理の綴じ位置および前記第２の綴じ処理の位置に基づいて、前記第１の供給手段および前記第２の供給手段のいずれか一方から記録材を供給するように制御する制御手段とを含む画像形成システムである。
【手続補正３】
【補正対象書類名】明細書
【補正対象項目名】０００６
【補正方法】変更
【補正の内容】
【０００６】
請求項３記載の発明は、前記制御手段は、前記第１の供給手段からの記録材の供給および前記第２の供給手段からの記録材の供給がともに許容される場合に、前記第２の供給手段から記録材を供給させることを特徴とする請求項２記載の画像形成システムである。
請求項４記載の発明は、前記画像形成手段によって画像が形成された記録材の表裏を反転して前記積載手段に搬送する反転搬送手段をさらに含み、前記制御手段は、記録材に対する画像の向きと前記第１の綴じ処理および前記第２の綴じ処理の位置とに基づいて、さらに、前記反転搬送手段による反転搬送の可否を制御することを特徴とする請求項２または３記載の画像形成システムである。
請求項５記載の発明は、前記制御手段は、記録材に対する画像の向きと前記第１の綴じ処理および前記第２の綴じ処理の位置とに基づいて、さらに、前記画像形成手段が前記記録材の束を構成するそれぞれの記録材上に形成する画像の向きを回転させる制御を行うことを特徴とする請求項２乃至４のいずれか１項記載の画像形成システムである。
請求項６記載の発明は、前記第２の綴じ手段による前記第２の綴じ処理は、前記第１の綴じ手段による前記第１の綴じ処理よりも綴じが解放しやすいことを特徴とする請求項２乃至５のいずれか１項記載の画像形成システムである。
請求項７記載の発明は、前記制御手段は、前記記録材の束に対し前記第１の綴じ手段による前記第１の綴じ処理を行わせた後に前記第２の綴じ手段による前記第２の綴じ処理を行わせることを特徴とする請求項６記載の画像形成システムである。
【手続補正４】
【補正対象書類名】明細書
【補正対象項目名】０００７
【補正方法】変更
【補正の内容】
【０００７】
請求項１記載の発明によれば、本構成を有しない場合に比較して、長辺および短辺を有する記録材の搬送方向が切り替え可能であるときに、複数の記録材によって構成される記録材の束と記録材の束に施される綴じ処理の位置との関係を満足させる機会を増加させることができる。
請求項２記載の発明によれば、本構成を有しない場合に比較して、長辺および短辺を有する記録材の搬送方向が切り替え可能であるときに、複数の記録材によって構成される記録材の束と記録材の束に施される綴じ処理の位置との関係を満足させる機会を増加させることができる。
請求項３記載の発明によれば、本構成を有しない場合に比較して、記録材の束を構成する各記録材に対する画像形成に要する時間、および、綴じ処理が施された記録材の束の生産に要する時間を短くすることが可能になる。
請求項４記載の発明によれば、本構成を有しない場合に比較して、複数の記録材によって構成される記録材の束と記録材の束に施される綴じ処理の位置との関係を満足させる機会をさらに増加させることができる。
請求項５記載の発明によれば、本構成を有しない場合に比較して、複数の記録材によって構成される記録材の束と記録材の束に施される綴じ処理の位置との関係を満足させる機会をさらに増加させることができる。
請求項６記載の発明によれば、本構成を有しない場合に比較して、記録材の束における第１の端部の綴じを維持しつつ、第２の端部の綴じを開くことが容易になる。
請求項７記載の発明によれば、本構成を有しない場合に比較して、複数の綴じ処理が施された記録材の束において、記録材の束を構成する各記録材の揃えの乱れを抑制することができる。